(57)【要約】      （修正有）【課題】大切な存在の肉体の一部を使った装身具および装飾品の製作時や購買時のメモリアル意識の高い製品本体に新たに手を加えることなく、リスクなく容易に安心して気軽に服装やＴＰＯその時の気分にあわせてデザインを着せ替えすることのできる構造のものを提供すること。【解決手段】  自由に様々なものが内包可能なケース状装身具の表面を覆う筒状の釣り鐘式カバー、その他蝶番機能やネジ止め機能をもち、中に空洞を作るように凹面の凹面を張り合わせ嵌合する状態（張り合わせ式）の装飾カバーおよび、人やペットの肉体の一部を加工した装身具の表面を覆う筒状の釣り鐘式カバー、その他蝶番機能やネジ止め機能をもち、中に空洞を作るように凹面の凹面を張り合わせ嵌合する状態（張り合わせ式）の装飾カバーを貴金属や宝石その他の素材で製作したカバーの提供。【選択図】図５
2008006241.tif 000002
【特許請求の範囲】
【請求項１】
人間やペットの毛、歯、骨など肉体の一部を封入し作られた装身具および装飾品本体をＴＰＯや気分にあわせて手軽に自由に着せ替えできる機能を持つ取り替えカバー装身具及び装飾品。
【請求項２】
自由に着せ替えできる機能を持つ取り替えカバー装身具及びカバーを固定するための人間やペットの毛、歯、骨など肉体の一部を使用し作られた装身具本体。
【請求項３】
市販されているピルケースペンダントトップなどの内包可能な筒状ケースペンダントトップなどの表面を自由に着せ替えできるカバー機能装身具および装飾品。
【発明の詳細な説明】
【発明の詳細な説明】
【技術分野】
【０００１】  本発明は、人やペットの肉体の一部で製作した身に付ける装身具を気分に合わせてデザインを取り替えることのできる着せ替え可能なメモリアル装身具カバー。
【背景技術】
【０００２】  従来、大切な人やペットの毛や歯、骨を加工したり、ネジ式などのケースにそのまま入れたりして指輪やペンダントにして身に付けています。
従来のものでは、一度装飾品に加工した形は自身で容易に変えられず、生涯同じデザインのまま身に付けなければならないか、ケース状のものであれば中身を取り出して新たなケースに入れ替えるという行為が必要でした。
加工し一体化したものは、新たに時間をかけ作り替える以外は生涯同じデザインを楽しまなければならず、服装やＴＰＯ、趣味の変化により自身の手で短時間で気軽にデザインを取り替えることは不可能でした。従来の、ケース状のものに入れるタイプでは、一度中身を取り出すことをしなければならず、その際に紛失や劣化のリスクが付きまとっていました。製作時や購買時のメモリアル意識の高い商品であり、かつ大切な存在の肉体の一部を使った装身具および装飾品は、気軽に買い替えたり作り替えたり、入れ替えたりすることが容易に行えないものでした。
【発明の開示】
【発明が解決しようとする課題】
【０００３】上記の「０００２」で記した通り、従来の肉体の一部を加工し一体化したものは、新たに作り替える以外は生涯同じデザインを楽しまなければならず、服装やＴＰＯ、趣味の変化により自身で短時間で気軽にデザインを取り替えることは不可能でした。
ケース状のものにそのまま入れるタイプでは、一度中身を取り出すことをしなければならず、その際に紛失や劣化のリスクがつきまとっていました。
大切な存在の肉体の一部を使った装身具および装飾品の製作時や購買時のメモリアル意識の高い製品本体に新たに手を加えることなく、リスクなく容易に安心して気軽に服装やＴＰＯその時の気分にあわせてデザインを着せ替えすることのできる構造のものを提供することが必要でありました。【０００４】  ところで、このような毛や骨の保存方法としては、従来より以下のような方法が用いられている。
▲１▼樹脂や粘土、ガラスなどと組み合わせ加工し、金属などと一体化させただけのもの。
▲２▼ネジ式や開閉式のケース型装身具などに納められたもの。【０００５】  ここで、上記▲１▼、▲２▼、すべての方法に通ずる事であるが、今後の趣味の変化や、服装、ＴＰＯにあわせてのデザインを変えることを全く前提としておらず、身に付けられるものとしての機能しかなく、一時の気持ちで生涯のデザインを決定しなければならず、大切なものを生涯身に付けたいという気持ちのもと、デザインに飽きたらどうしよう？などという疑問も払拭しきれなかった。【０００６】  本発明は、上記従来の現状に鑑みなされたものであって、気分によって生涯いろいろなデザインを身に付けることができるため、より具体的に安心感を与えさらに、大切なものを大切に生涯身に付けながら着せ替えできる楽しさを与えることができるメモリアル装身具となります。
【発明が解決しようとする手段】
【０００７】前述した目的を達成するためには、肉体の一部を加工し一体化したものやケース式のものの上から、新たなデザインのカバーを上から着せることによって見た目のデザインを変えることができます。
【０００８】  上部の穴が小さく、下部の穴大きい筒状の形（釣り鐘状）をもつカバーを貴金属、その他の素材で製作する。その他、蝶番機能やネジ止め機能をもち、中に空洞を作るように凹面の凹面を張り合わせる状態の中に従来の肉体の一部を納めたペンダント、指輪などを内包するためのカバーを製作する。
【０００９】従来の商品を単純に内包することのできるカバーおよび、肉体の一部を納めた装身具本体自身を着せ替えカバー専用に凹凸面やネジ穴などの機能を有した装身具の製作。
【００１０】  上記３つで述べたものを貴金属や金属、宝石、宝飾品、ガラス等との組み合わせによりアクセサリー、装身具及び装飾品として製作することにより無限大にデザインの可能性、ＴＰＯにあわせ変化することが可能になります。
【発明の効果】
【００１１】  以上説明したように本発明によれば、本来は大切な存在の肉体の一部を身に付けて安心するだけの機能のみで、ファッション性やその後の変化を重視していなかったものが、自身で簡単に着せ変えることが可能になったためさらにファッション性が増し、本来の目的に加え、生涯いろいろな状況や流行に合わせてデザインを楽しむことができるようになります。さらに中に内包した装身具本体を保護することができるため傷が付きにくくなり、本発明により本来の癒しに加え、傷つけたくないという気持ちの解消や、流行変化や選ぶという楽しさを生涯にわたり新たに提供できるようになります。その他、購入のリピーターを期待できなかったマーケットを、カバー装飾品購入というリピーターを獲得することができるようになりさらなるマーケットの拡大に寄与することになる。
【発明を実施するための最良の形態】
【００１２】  本発明は、自由に様々なものが内包可能なケース状装身具の表面を覆う筒状の釣り鐘式カバー、その他蝶番機能やネジ止め機能をもち、中に空洞を作るように凹面の凹面を張り合わせ嵌合する状態（張り合わせ式）の装飾カバーおよび、人やペットの肉体の一部を加工した装身具の表面を覆う筒状の釣り鐘式カバー、その他蝶番機能やネジ止め機能をもち、中に空洞を作るように凹面の凹面を張り合わせ嵌合する状態（張り合わせ式）の装飾カバーを貴金属や宝石その他の素材で製作したものを提供する。【００１３】  様々なものが内包可能なケース状装身具本体や、人やペットの肉体の一部を加工した装身具本体を着せ替えカバー専用に凹凸面やネジ穴を有した装身具の製作。【００１４】  ネジ先端やカバー内面空洞にゴムやシリコンなどのクッション保護機能を有し本体装飾品を傷つけず内包するためのカバー装飾品【００１５】  本体部分以外に、カバー部分のバリエーションを増やす。
【実施例】
【００１６】  肉体の一部を納めた着せ替え専用の指輪、ペンダント、ピアスなどアクセサリー本体の製作。【００１７】  着せ替え用指輪カバー、ペンダントカバー、ブローチカバーなどのパーツ製作。
【産業上の利用可能性】
【００１８】宝飾産業に新しいコンセプトの商品が供給出来る。【００１９】葬儀産業に新しいメモリアル商品が供給出来る。
【図面の簡単な説明】
【００２０】
【図１】    装身具本体と釣り鐘式カバーと断面図。
【図２】    装身具本体と釣り鐘式カバーの立体図。
【図３】    釣り鐘式カバーと装身具本体をネジ固定したものの立体図
【図４】    装身具本体と張り合わせ式カバーの断面図
【図５】    装身具本体と張り合わせ式カバーの立体図
【図６】    着せ替え専用装身具本体と着せ替えカバーをネジ固定したものの断面図
【符号の説明】
【００２１】  １  装身具本体
２  着せ替えカバー
３  シリコンゴム
４  ネジ
【図１】
2008006241.tif 000003
【図２】
2008006241.tif 000004
【図３】
2008006241.tif 000005
【図４】
2008006241.tif 000006
【図５】
2008006241.tif 000007
【図６】
2008006241.tif 000008